(57)【特許請求の範囲】
【請求項１】
無目を支持枠としてパネルを連設してなるカーテンウォールにあって、前記無目の室外側面の少なくとも一部を覆うカバー材を取り付けるための構造において、
前記無目およびカバー材のいずれか一方の部材に対して掛止部を設け、他方の部材に対して受け掛止部を設け、前記掛止部を受け掛止部に掛け止めるように構成するとともに、
ネジ部材が前記一方の部材にこれを座とする状態で設けられ、前記ネジ部材の移動によりその先端を介して、前記他方の部材の受け掛止部を有する片を押し付けて弾性変形させ前記受け掛止部を移動させ、前記他方の部材の受け掛止部と、前記一方の部材の掛止部とを掛け止めるようにした
ことを特徴とするカーテンウォールにおける無目カバー材取付構造。
【請求項２】
無目を支持枠としてパネルを連設してなり、かつこれら無目の室外側部分の少なくとも一部を、室外に露出する押縁部材により構成したカーテンウォールにあって、前記無目の室外側面の少なくとも一部を覆うカバー材を取り付けるための構造において、
前記押縁部材に、上側受け掛止部および下側受け掛止部をそれぞれ室外側に設け、前記カバー材に、上側掛止部および下側掛止部をそれぞれ前記押縁部材側に設け、
前記カバー材の上側掛止部を前記押縁部材の上側受け掛止部に、及び前記カバー材の下側掛止部を前記押縁部材の下側受け掛止部に、それぞれ掛け止めるように構成するとともに、
ネジ部材が前記カバー材にこれを座とする状態で設けられ、前記ネジ部材の移動によりその先端を介して、前記押縁部材の下側受け掛止部を有する片を押し付けて弾性変形させ前記下側受け掛止部を移動させ、前記押縁部材の下側受け掛止部と、前記カバー材の上側掛止部とを掛け止めるようにした
ことを特徴とするカーテンウォールにおける無目カバー材取付構造。
【請求項３】
前記ネジ部材が、前記カバー材における前記下側受け掛止部よりも下側に、ネジ孔が上下方向に沿う姿勢で固設されたナットと、このナットの下側から螺合貫通され、先端が前記下側受け掛止部を有する片の下面に当接されたネジ材とから構成された、請求項２記載のカーテンウォールにおける無目カバー材取付構造。
【請求項４】
無目を支持枠としてパネルを連設してなり、かつこれら無目の室外側部分の少なくとも一部を、室外に露出する押縁部材により構成したカーテンウォールにあって、前記無目の室外側面の少なくとも一部を覆うカバー材を取り付けるための構造において、
前記押縁部材に、上側受け掛止部および下側掛止部をそれぞれ室外側に設け、前記カバー材に、上側掛止部および下側受け掛止部をそれぞれ前記押縁部材側に設け、
前記カバー材の上側掛止部を前記押縁部材の上側受け掛止部に、及び前記カバー材の下側受け掛止部を前記押縁部材の下側掛止部に、それぞれ掛け止めるように構成するとともに、
ネジ部材が前記押縁部材にこれを座とする状態で設けられ、前記ネジ部材の移動によりその先端を介して、前記カバー材の下側受け掛止部を有する片を押し付けて弾性変形させ前記下側受け掛止部を移動させ、前記カバー材の下側受け掛止部と、前記押縁部材の上側掛止部とを掛け止めるようにした
ことを特徴とするカーテンウォールにおける無目カバー材取付構造。
【発明の詳細な説明】
【０００１】
【発明の属する技術分野】
本発明は、無目の露出を防止するために取り付けられるカバー材の取付構造に関する。
【０００２】
【従来の技術】
近年のカーテンウォール形式の多様化により、無目の室外側面を覆うようにカバー材を取り付けることが行われている。
【０００３】
具体的には、たとえば図５に示すように、パネルＰ，Ｐの上下を支持する無目２００の室外側面に、受け掛止部材２０１を固設し、この受け掛止部材２０１に、カバー材４００を引っ掛けるとともに図示のようにビスｖ，ｖで固定するか、あるいはリベット止めしていた。
【０００４】
ただし、単なるビス止めによるカバー材取付構造では、年月の経過に伴ってネジの緩みや抜けが発生し、カバー材が脱落するおそれもあるので、従来はこれに対処するべくリベット又は緩み止めビスが使用されてきた。
【０００５】
【発明が解決しようとする課題】
しかしながら、いずれにせよ取り付けに自由度がなく、部材精度が悪いとカバー材が浮いた状態に保持され、カバー材の無目に対する掛止が不確実になったり、無理に取り付けるとカバー材が歪んだりするおそれがあった。
【０００６】
したがって本発明の主たる課題は、カバー材を無目に対して適切・確実に掛止でき、しかもその掛止を長期にわたり維持できる構造を提供することにある。
【０００７】
【課題を解決するための手段】
上記課題を解決した本発明の無目カバー材取付構造は、無目を支持枠としてパネルを連設してなるカーテンウォールにあって、前記無目の室外側面の少なくとも一部を覆うカバー材を取り付けるための構造において、
前記無目およびカバー材のいずれか一方の部材に対して掛止部を設け、他方の部材に対して受け掛止部を設け、前記掛止部を受け掛止部に掛け止めるように構成するとともに、
ネジ部材が前記一方の部材にこれを座とする状態で設けられ、前記ネジ部材の移動によりその先端を介して、前記他方の部材の受け掛止部を有する片を押し付けて弾性変形させ前記受け掛止部を移動させ、前記他方の部材の受け掛止部と、前記一方の部材の掛止部とを掛け止めるようにしたことを特徴とするものである。
【０００８】
より望ましい第１の態様としては、無目を支持枠としてパネルを連設してなり、かつこれら無目の室外側部分の少なくとも一部を、室外に露出する押縁部材により構成したカーテンウォールにあって、前記無目の室外側面の少なくとも一部を覆うカバー材を取り付けるための構造において、
前記押縁部材に、上側受け掛止部および下側受け掛止部をそれぞれ室外側に設け、前記カバー材に、上側掛止部および下側掛止部をそれぞれ前記押縁部材側に設け、
前記カバー材の上側掛止部を前記押縁部材の上側受け掛止部に、及び前記カバー材の下側掛止部を前記押縁部材の下側受け掛止部に、それぞれ掛け止めるように構成するとともに、
ネジ部材が前記カバー材にこれを座とする状態で設けられ、前記ネジ部材の移動によりその先端を介して、前記押縁部材の下側受け掛止部を有する片を押し付けて弾性変形させ前記下側受け掛止部を移動させ、前記押縁部材の下側受け掛止部と、前記カバー材の上側掛止部とを掛け止めるようにした
ことを特徴とするカーテンウォールにおける無目カバー材取付構造を提案する。
より望ましい第２の態様として、無目を支持枠としてパネルを連設してなり、かつこれら無目の室外側部分の少なくとも一部を、室外に露出する押縁部材により構成したカーテンウォールにあって、前記無目の室外側面の少なくとも一部を覆うカバー材を取り付けるための構造において、
前記押縁部材に、上側受け掛止部および下側掛止部をそれぞれ室外側に設け、前記カバー材に、上側掛止部および下側受け掛止部をそれぞれ前記押縁部材側に設け、
前記カバー材の上側掛止部を前記押縁部材の上側受け掛止部に、及び前記カバー材の下側受け掛止部を前記押縁部材の下側掛止部に、それぞれ掛け止めるように構成するとともに、
ネジ部材が前記押縁部材にこれを座とする状態で設けられ、前記ネジ部材の移動によりその先端を介して、前記カバー材の下側受け掛止部を有する片を押し付けて弾性変形させ前記下側受け掛止部を移動させ、前記カバー材の下側受け掛止部と、前記押縁部材の上側掛止部とを掛け止めるようにした
ことを特徴とするカーテンウォールにおける無目カバー材取付構造を提案する。
【０００９】
この場合、前記ネジ部材が、前記カバー材における前記下側受け掛止部よりも下側に、ネジ孔が上下方向に沿う姿勢で固設されたナットと、このナットの下側から螺合貫通され、先端が前記下側受け掛止部の下面に当接されたネジ材とから構成するのが望ましい。さらにこの場合、前記ネジ部材として、六角レンチにより回転可能なものを用いたものとするのが望ましい。
【００１０】
本発明の主なポイントは、掛止部および受け掛止部の少なくとも一方を、無目およびカバー材の少なくとも一方の部材を座として弾性変形により移動させて、他方に押し付けるネジ部材を設けたところにある。このように無目とカバー材とが弾性変形により掛止される構成とすると、部材精度が多少悪くても適切な掛止位置で確実に掛止できるようになる。しかも、従来のネジ止め等における緩みの主原因は振動であるが、本発明では弾性的に掛止していることから、振動を吸収でき、長期にわたり確実な掛止を維持できるようになる。
【００１１】
また、特にネジ部材としてナットとボルト等のネジ材とを用いる形態では、ネジ材をねじ込み、その先端に当接する押縁部材の下側受け掛止部をカバー材を座として押し上げることによって、下側受け掛止部を弾性変形により移動させて、カバー材の下側掛止部に押し付けることができる。
【００１２】
ただし、このネジ部材を締めるための作業スペースにはパネルが近接しており、非常に狭いところでの作業を要することになるので、特にネジ部材として、六角レンチにより回転可能なものを用いるのが望ましい。かかるネジ部材は狭い作業スペースでも締付けが可能であり、またそれによって、パネルを更に室外側に寄せた設計が可能になるという利点ももたらされる。
【００１３】
【発明の実施の形態】
以下、本発明の実施の形態について添付図面に基づいて詳述する。
（第１の実施形態）
図１は、カーテンウォール壁面例１を示している。この例は、水平方向配置の無目２，２を室外に露出させる一方で、縦方立５をバックマリオンとし、縦方向にはシール目地６のみが見えるようにすることで、横方向の無目ラインをデザイン的に強調した、所謂横強調カーテンウォールである。
【００１４】
このカーテンウォールにおいては、縦方立５、５…がフロアの床縁部に固定されたファスナー装置により支持され、これら縦方立５、５間に横方向配置で無目２，３が夫々架け渡され、パネルＰ、Ｐ…はこれら無目２，２を介して上下に連設されている。
【００１５】
無目２は図２に示されるように、中空方形状の本体部２Ａと、この本体部２Ａの室外側面の上部から張り出して上パネルＰの室内側を支持する上部張出部２ｂと、中間部から張り出すとともに上面に掛止部２ｃおよび下部に下パネルの嵌合溝１０をそれぞれ有する下部張出部２Ｄとからなる部材である。かかる無目が縦方立５に対してネジＮ，Ｎによりネジ止めされる。
【００１６】
無目２の掛止部２ｃには、無目４の室外側部分のパネル支持部をなす押縁３の掛止部３ａが掛け止められるとともに、長手方向（図示平面と直交する方向）の適宜の位置において図示しないネジにより無目２と押縁３とが固定される。押縁３の上端突出部は上パネルＰの室外側支持部３ｂをなしており、室内側および室外側支持部２ｂ，３ｂにより上側パネル嵌合溝９が形成されている。パネル嵌合溝９，１０においては、パネルＰの上下縁の表裏面側に夫々シール材１１，１１によるパネル廻り用シールが施工され、これらによってパネルＰが挟着支持されており、特に本例では下パネルＰは複層パネルとされている。なお、１２はパネルセッティング用ブロックである。
【００１７】
そして本発明においては、かかる無目２に対してカバー材４が取り付けられる。第１の実施形態では、先ず、押縁３の上部室外側にＬ字状片部分３ｃを設けて溝状の上側受け掛止部３０を形成するとともに、中間部室外側にもＬ字状片部分３ｄを設けて下側受け掛止部３１を形成している。
【００１８】
一方、カバー材４は、壁面に沿う正面部分４ａおよび壁面側が上となる傾斜上面部分４ｂからなり、縦方向幅が無目２と略同じとされた本体部と、上面部分４ｂの室内側端部から下方に突出し、押縁３の上側受け掛止部３０内に嵌合する上側掛止部４０と、その下側において正面部分４ａの室内側面から突出し、押縁３の下側受け掛止部３１が嵌合する下開口の溝状下側掛止部４１とを有するように形成されている。
【００１９】
また本第１の実施形態では、カバー材４における押縁３の下側受け掛止部３１よりも下側に、カバー材４の室内側にリップ溝４ｎが形成され、このリップ溝４ｎ内に、ナットＮが上下方向に沿う姿勢で且つ中心軸周りに回転しないように固定されており、また、リップ溝４ｎの底部には次述のネジ材Ｂの軸部が貫通しうる透孔が形成されている。さらに、このナットＮには、下側からネジ材Ｂが螺合貫通され、その軸部先端が押縁３の下側受け掛止部３１の下面に当接される。
【００２０】
カバー材４の施工に際しては、カバー材４の上側掛止部４０を押縁３の上側受け掛止部３０に、及びカバー材４の下側掛止部４１を押縁３の下側受け掛止部３１にそれぞれ嵌合（または食い込み）掛止するとともに、ネジ材ＢをナットＮにねじ込み、その先端に当接する押縁３の下側受け掛止部３１を押し上げることによって、当該下側受け掛止部３１を弾性変形により移動させてカバー材４の下側掛止部４１に押し付ける。かくして、カバー材４を無目２に対して取り付けることができる。
【００２１】
したがって、カバー材４または押縁３の部材精度等の理由により、かかる嵌合掛止だけでは固定が不十分な場合となる場合であっても、押縁３の下側受け掛止部３１は弾性変形によりカバー材４の下側掛止部４１に押し付けられるので、適切且つ確実な掛止がなされる。さらに弾性的に掛止していることから、振動を吸収でき、長期にわたり確実な掛止を維持できるようになる。また、特に本第１の実施形態の掛止形態では、ネジ部材による締付けによって、当該ネジ部材とカバー材４の上側掛止部４０との間に押縁３の室外側張出部分（上側受け掛止部３０および下側受け掛止部３１）を挟持するようになるので、カバー材４は押縁３に対して強固に固定される利点もある。
【００２２】
他方、前述のネジ部材としては、いわゆる六角穴付ボルト等の六角レンチにより回転可能なものを用いるのが好ましい（以下の実施形態に同じ）。すなわち、このネジ部材を締めるための作業スペースには下パネルＰが近接しており、非常に狭いところでの作業を要することになるので、ドライバー等により締付けるタイプのネジ部材は使用しにくい。これに対して、六角レンチにより回転可能なネジ部材はかかる狭い作業スペースでも締付けが容易である。またかかる六角レンチにより回転可能なネジ部材を使用すると、カバー材４の下側に広い作業スペースを要しないので、下パネルを更に室外側に寄せた設計が可能になるという利点ももたらされる。
【００２３】
（第２の実施形態）
上記例では、ナットＮおよびネジ材Ｂをカバー材４側に設けたが、本発明においては無目２側に設けることもできる。具体的には、例えば図３に示すように、押縁３における下側受け掛止部３１よりも下側の部位の室外側面にリップ溝４ｎを形成し、このリップ溝４ｎに、ナットＮが上下方向に沿う姿勢で且つ中心軸周りに回転しないように固定し、また、リップ溝４ｎの底部にはネジ挿通用透孔を形成し、さらにこのナットＮには、下側からネジ材Ｂが螺合貫通させる。
【００２４】
また、本第２の実施形態では、カバー材４と押縁３との下側の掛止関係を第１の実施形態のそれとは反対にしている。すなわち、第１の実施形態における押縁３の下側受け掛止部３１に代えて逆さＬ字状の下側掛止部３２を設けるとともに、カバー材４の下側掛止部４１に代えて先端上面に突出部を有する下側受け掛止部４２を設けている。よってこの場合、押縁３のナットＮに螺合されたネジ材Ｂの軸部先端は、カバー材４の下側受け掛止部４２の下面に当接される。
【００２５】
かくして、本第２の実施形態では、カバー材４の上側掛止部４０および下側受け掛止部４２間に、押縁３の上側掛止受け部３０および下側掛止部３２が挟持される形で、各掛止部及び受け部相互４０，３０、４２，３２がそれぞれ嵌合掛止される。また、ネジ材ＢをナットＮにねじ込み、その先端に当接するカバー材４の下側受け掛止部４２を押し上げれば、当該下側受け掛止部４２を弾性変形により移動させて押縁３の下側掛止部４１に押し付けることができる。よって、本第２の実施形態においても、カバー材４の掛止が長期にわたり確実に維持される。
【００２６】
（第３の実施形態）
上記形態では、カバー材４の掛止部および押縁３の掛止部のいずれか一方のみしか変形移動させることができないが、両者をそれぞれ変形移動させうるように構成することもできる。具体低には、図４に示すように、前述の第１の実施の形態に対してカバー材４の下側掛止部４１を引き下げて押し付けるための手段を加えることを推奨する。図示例では、カバー材４の下側掛止部４１の基部に、第２のリップ溝４ｎを設けてそこに第２のナットＮ２を回転しないように取り付けるとともに、前述の第１のリップ溝４ｎにおける基部に、ネジ軸部は通るが頭部は通らない保持透孔４ｈを設け、第２のネジ材Ｂ２の軸部を保持透孔４ｈを通して第２のナットＮ２に螺合させ、頭部は保持透孔４ｈ内に保持させている。ただし、第１のナットＮおよび第２のナットＮ２は、第２の実施形態にならって押縁３に設けたり、一方を押縁３に設け他方をカバー材４に設けたりする等、適宜の変形が可能である。
【００２７】
かくして、第１のネジ材Ｂを第１のナットＮにねじ込めば、前述第１の実施形態と同様にして押縁３の下側受け掛止部３１を押し上げてカバー材４の下側掛止部４１に押し付けることもできるし、これとともに又はこれを行わずに、第２のネジ材Ｂ２を第２のナットにねじ込めば、当該第２のネジ材Ｂ２が保持透孔４ｈ部を越えて上昇できないために、第２のナットＮ２を固定するカバー材４の下側掛止部４１を引き下げ（押し下げ）ることもできる。
【００２８】
（その他）
いうまでもないが、本発明は上記例に限定されず、種々の変形が可能である。例えば、上記例は横強調カーテンウォールへの適用例であるが、本発明はその範囲内において他のカーテンウォールにも適用可能である。さらに、掛止部材の押し付け手段としては、施工時又はその後に押し付け度合いを調整できる点で上記例のネジ部材（ボルトやビス等）が好適である。さらにまた、上記例におけるネジ部材は、カバー材および無目のいずれか一方を座として押し付けを行うものであるが、両方を座として押し付けを行うように構成することもできる。
【００２９】
また本発明においては、ナットＮとして、いわゆる緩み止め構造のナットを用いるのが望ましい。かかるナットを使用することによってネジ材Ｂが緩みにくくなり、カバー材４を無目２に対してより確実に係止することができるようになる。
【００３０】
【発明の効果】
以上詳説のとおり、本発明によれば、カバー材を無目に対して適切・確実に掛止でき、しかもその掛止を長期にわたり維持できるようになる。
【図面の簡単な説明】
【図１】  本発明が対象とするカーテンウォールの一例を示す正面図である。
【図２】  第１の実施形態を示す、図１のII−II線矢視図である。
【図３】  第２の実施形態を示す、図１のII−II線矢視図である。
【図４】  第３の実施形態を示す、図１のII−II線矢視図である。
【図５】  従来例を示すパネル保持部構造の拡大断面図である。
【符号の説明】
１…カーテンウォール壁面例、２…無目、３…押縁、４…カバー材、５…方立、６…シール目地、８…押縁、３０…上側受け掛止部、３１…下側受け掛止部、４０…上側掛止部、４１…下側掛止部、Ｎ，Ｎ２…ナット、Ｂ，Ｂ２…ネジ材。
【図１】
0003844281.tif 000002
【図２】
0003844281.tif 000003
【図３】
0003844281.tif 000004
【図４】
0003844281.tif 000005
【図５】
0003844281.tif 000006